(57)【特許請求の範囲】
【請求項１】
記録媒体上のトナー像を定着すると共にトナー像が定着された記録媒体を画像形成装置の用紙排出部へ排出する定着器において、
前記定着器に開放可能に設けられ、閉じた状態で前記記録媒体を前記用紙排出部に向けて案内するとともに、開放時に前記記録媒体が搬送される搬送経路の一部を開放する用紙ガイドと、
前記用紙ガイドと異なる位置で前記定着器に設けられ、前記記録媒体に押されて前記搬送経路から退避する用紙検出片と、
前記用紙ガイドに設けられ、前記用紙ガイドの開放時に前記用紙ガイドと共に前記用紙検出片を回動させる案内部と、
を有して構成されていることを特徴とする定着器。
【請求項２】
前記用紙検出片はシャフトに連結されるとともに、前記シャフトが前記定着器に回動可能に支持され、前記シャフトには半径方向に板片が突設され、前記板片を検知することで前記用紙検出片の揺動を検知することを特徴とする請求項１に記載の定着器。
【請求項３】
前記用紙検出片を記録媒体搬送方向の上流側に向かって回転するように付勢する付勢部材が設けられ、前記用紙ガイドを開放したときに前記付勢部材を覆うカバーが設けられていることを特徴とする請求項１又は２に記載の定着器。
【請求項４】
前記用紙ガイドは、前記シャフトの回転中心とは異なる回転中心で揺動可能に前記定着器に設けられ、前記用紙ガイドの開放時に前記案内部と前記用紙検出片とが当接し、前記用紙検出片における前記案内部が当接する面は曲面とされていることを特徴とする請求項１〜３のいずれか１項に記載の定着器。
【請求項５】
前記案内部は、前記用紙ガイドを開放させたとき、前記用紙検出片の先端に当接されることを特徴とする請求項４に記載の定着器。
【請求項６】
前記用紙ガイドの内側には、前記用紙ガイドを開放させたとき、前記用紙検出片よりも突出するガイド片が形成されていることを特徴とする請求項１〜５のいずれか１項に記載の定着器。
【請求項７】
前記シャフトには、前記用紙ガイドが閉じた状態において前記定着器と当接する当接片が設けられていることを特徴とする請求項２〜６のいずれか１項に記載の定着器。
【請求項８】
前記画像形成装置から取り外し可能とされたことを特徴とする請求項１〜請求項７のいずれか１項に記載の定着器。
【請求項９】
請求項１〜請求項８のいずれか１項に記載の定着器を有し、前記定着器で記録媒体上のトナー像を定着することを特徴とする画像形成装置。
【発明の詳細な説明】
【技術分野】
【０００１】
本発明は、記録媒体上のトナー像を定着する定着装置を備えた画像形成装置に関する。
【背景技術】
【０００２】
複写機、プリンタ等の画像形成装置では、感光体などの像担持体表面に静電潜像を形成し、この静電潜像を現像装置で可視化してトナー像を形成する。そして、トナー像を用紙などの記録媒体に転写した後、記録媒体上のトナー像を定着装置によって加熱及び加圧して定着することによって画像を形成する。
【０００３】
定着装置は、内部にヒーターを内蔵した加熱ローラと、この加熱ローラに記録媒体を圧接させる加圧ローラとを備えている。そして、加熱ローラと加圧ローラとの間（定着部）にトナー像が形成された記録媒体を通過させ、トナー像を加熱及び加圧することにより溶融して記録媒体上に定着させる。
【０００４】
このような定着装置には、通常、用紙排出口の近傍に、用紙の有無を検知するアクチュエーターが設けられている（特許文献１参照）。このアクチュエーターに、定着部を通過する記録媒体の先端が当接すると、アクチュエーターが回動し、アクチュエーターの回動を検知するセンサによって、定着装置内に記録媒体が存在しているか否かが検知される。
【０００５】
ところで、定着装置内で記録媒体がジャムすると、アクチュエーターの上方に設けられた定着カバーを開いて、ジャムした記録媒体を取り除く必要性が発生する。特許文献１の画像形成装置では、定着カバーを開いたとき、アクチュエーターは用紙排出口の近傍に位置したままとなる。このため、定着部からジャムした用紙を定着カバー側に引き抜こうとすると、アクチュエーターの先端に記録媒体から軸力が作用し、アクチュエーターが破損してしまう恐れがある。
【特許文献１】特開２００２−８２５６２号公報
【発明の開示】
【発明が解決しようとする課題】
【０００６】
本発明は、定着器内でジャムした記録媒体を用紙ガイド側に引き抜いても、記録媒体によって用紙検出片を破損させないことを課題とする。
【課題を解決するための手段】
【０００７】
請求項１に記載の本発明は、記録媒体上のトナー像を定着すると共にトナー像が定着された記録媒体を画像形成装置の用紙排出部へ排出する定着器において、前記定着器に開放可能に設けられ、閉じた状態で前記記録媒体を前記用紙排出部に向けて案内するとともに、開放時に前記記録媒体が搬送される搬送経路の一部を開放する用紙ガイドと、前記用紙ガイドと異なる位置で前記定着器に設けられ、前記記録媒体に押されて前記搬送経路から退避する用紙検出片と、前記用紙ガイドに設けられ、前記用紙ガイドの開放時に前記用紙ガイドと共に前記用紙検出片を回動させる案内部と、を有して構成されていることを特徴としている。
【０００８】
請求項１の発明によれば、用紙ガイドを開放させたとき、用紙検出片には用紙ガイドに設けられた案内部が当接し、用紙ガイドと共に回動する。つまり、用紙ガイドを開放しても、用紙検出片が定着器の用紙排出口に残らないので、用紙排出口は開放された状態になる。このため、定着器内でジャムした記録媒体を引き出す際に、記録媒体が用紙検出片に当たらないので、用紙検出片の破損の恐れがない。
【０００９】
請求項２に記載の本発明は、前記用紙検出片はシャフトに連結されるとともに、前記シャフトが前記定着器に回動可能に支持され、前記シャフトには半径方向に板片が突設され、前記板片を検知することで前記用紙検出片の揺動を検知することを有して構成されていることを特徴としている。
【００１０】
請求項２の発明によれば、トナー像が定着された記録媒体の先端が用紙検出片に当接すると、用紙検出片に連結されたシャフトが回動する。そして、シャフトに設けられた板片が検知される。このような構成により、例えば、記録媒体の先端が用紙検出片に当接したのが検知されてから、所定時間経過しても用紙検出片が元の位置に戻らないと検知されると、定着器内で記録媒体がジャムしたと判断できる。
【００１１】
請求項３に記載の本発明は、前記用紙検出片を記録媒体搬送方向の上流側に向かって回転するように付勢する付勢部材が設けられ、前記用紙ガイドを開放したときに前記付勢部材を覆うカバーが設けられていることを特徴としている。
【００１２】
請求項３の発明によれば、シャフトを用紙搬送方向の上流側に向かって回転するように付勢する付勢部材は、用紙ガイドを開放させたとき、カバーによって覆われてユーザー側に露出しないようにされている。これにより、例えば、付勢部材として、金属製のコイルバネを用いたとき、記録媒体を引き出そうとしたユーザーが、定着器から発生する熱によって加熱されたコイルバネに直接触れることがない。
【００１３】
請求項４に記載の本発明は、前記用紙ガイドは、前記シャフトの回転中心とは異なる回転中心で揺動可能に前記定着器に設けられ、前記用紙ガイドの開放時に前記案内部と前記用紙検出片とが当接し、前記用紙検出片における前記案内部が当接する面は曲面とされていることを特徴としている。
【００１４】
請求項４の発明によれば、案内部は用紙検出片の曲面に当接しながら、用紙検出片を回動させる。つまり、案内部と用紙検出片とは回転中心が異なることから、移動軌跡も異なるため、用紙検出片の案内部が当接する面を曲面とすることで、用紙検出片は案内部にスムーズに案内されて、用紙ガイドの開放と共に回動する。
【００１５】
請求項５に記載の本発明は、前記案内部は、前記用紙ガイドを開放させたとき、前記用紙検出片の先端に当接されることを特徴としている。
【００１６】
請求項５の発明によれば、用紙ガイドを開放させると、用紙検出片の先端に案内部が当接するようになっている。つまり、用紙ガイドを開放させたとき、用紙検出片の先端は案内部に覆われてユーザー側に露出しない。このため、ユーザーの手が用紙検出片先端に触れることがないので、用紙検出片の破損が防止される。
【００１７】
請求項６に記載の本発明は、前記用紙ガイドの内側には、前記用紙ガイドを開放させたとき、前記用紙検出片よりも突出するガイド片が形成されていることを特徴としている。
【００１８】
請求項６の発明によれば、用紙ガイドの内側にはガイド片が形成されており、用紙ガイドを開放したとき、ガイド片は用紙検出片よりも突出する。これにより、用紙ガイドを開放させた状態で定着器から記録媒体を引き抜くとき、この記録媒体はガイド片に当接して、直接用紙検出片に当接しない。したがって、記録媒体の引き抜きによって用紙検出片が破損する恐れがない。
【００１９】
請求項７に記載の本発明は、前記シャフトには、前記用紙ガイドが閉じた状態において前記定着器と当接する当接片が設けられていることを特徴としている。
【００２０】
請求項７の発明によれば、シャフトに設けられた当接片が定着器に当接することで、用紙検出片が所定の姿勢に維持される。これにより、付勢部材によって、用紙搬送方向の上流側に向かって付勢されたシャフトは、用紙搬送路に対する角度が正確に規制されるので、用紙ガイドの開放によってシャフトが回転する度に、用紙検出片の位置がずれてしまうことがないので、記録媒体がジャムする等の恐れがない。
【００２１】
請求項８に記載の本発明は、前記画像形成装置から取り外し可能とされたことを特徴としている。
【００２２】
請求項９に記載の本発明は、請求項１〜請求項８のいずれか１項に記載の定着器を有し、前記定着器で記録媒体上のトナー像を定着することを特徴としている。
【発明の効果】
【００２３】
本発明は上記構成としたので、定着器内でジャムした記録媒体を用紙ガイド側に引き抜いても、記録媒体によって用紙検出片を破損させない。
【発明を実施するための最良の形態】
【００２４】
本発明における画像形成装置の実施形態に係る画像形成装置１０について説明する。
【００２５】
図１には、本発明の実施形態にかかる画像形成装置１０の概略構成が示されている。
【００２６】
画像形成装置１０は、各色（イエロー、マゼンタ、シアン、ブラック）に対応する４個の感光体ドラム１２を備えている。それぞれの感光体ドラム１２の周囲には、帯電器１４が設けられており、帯電器１４によって感光体ドラム１２は所定の表面電位に帯電される。
【００２７】
また、帯電器１４よりも感光体ドラム１２の回転方向の下流側には、現像器１６が設けられている。現像器１６は、光走査装置２９から照射された光ビームＬＢによって感光体ドラム１２上に形成された静電潜像にトナーを供給して静電潜像を現像することで、感光体ドラム１２上にトナー像を形成する。
【００２８】
各感光体ドラム１２が設けられた側方には、転写装置１８が配設されている。転写装置１８は、一対の搬送ローラ２０と、この搬送ローラ２０に巻き掛けられた無端状の用紙搬送ベルト２２で構成されている。
【００２９】
一方、画像形成装置１０の下方には、給紙カセット２４が配設されている。給紙カセット２４から転写装置１８へ用紙Ｐが供給されると、用紙Ｐは用紙搬送ベルト２２に静電吸着されて搬送され、感光体ドラム１２と対向する位置に設けられた転写装置２６によって、感光体ドラム１２上のトナー像が用紙Ｐに転写されるようになっている。
【００３０】
各感光体ドラム１２に形成されたイエロー、マゼンタ、シアン、ブラックの単色画像は、用紙搬送ベルト２２で搬送される用紙Ｐ上に重ね合わせて転写される。これにより、用紙Ｐには多色のトナー像が形成され、用紙搬送方向の上流側に設けられた定着装置２８に送られる。
【００３１】
図４に示すように、定着装置２８はハウジング３０を備えており、ハウジング３０の内部には、所定の温度に加熱されるヒートロール３２と、このヒートロール３２との間で用紙Ｐを圧接する加圧ロール３４とが設けられている。
【００３２】
ヒートロール３２は、図示しない駆動モータにより矢印Ｆ方向に回転し、この回転により加圧ロール３４が従動回転するようになっている。このとき、トナー像が形成された用紙Ｐが、ヒートロール３２と加圧ロール３４のニップ部に搬送され、ヒートロール３２からの熱と加圧ロール３４からの圧力によって、用紙Ｐ上のトナーが溶融し、トナー画像が用紙Ｐ上に定着する。そして、ヒートロール３２及び加圧ロール３４の搬送方向下流側に配置された搬送ロール６５によって、用紙Ｐは搬送経路に沿って搬送される。
【００３３】
図２及び図３は、画像形成装置１０から取り出した定着装置２８が示されている。
【００３４】
図３に示すように、定着装置２８のハウジング３０の天板３０Ａには、アクチュエーター３６が設けられている。アクチュエーター３６は、シャフト３８を有している。シャフト３８は、用紙搬送方向と直交する方向に沿って配設されており、一方の端部がハウジング３０の側壁に、他方の端部がハウジング３０の天板３０Ａ上に形成された支持凸部４０に、回転可能に支持されている。
【００３５】
シャフト３８の他方の端部（支持凸部４０に支持された側）の近傍には、アーム４２が一体に設けられている。アーム４２は、長尺略矩形状の板状とされ、長手方向がシャフト３８の軸と直交し、シャフト３８とアーム４２とで略Ｔ字状とされている。
【００３６】
アーム４２は、後述する用紙ガイド６２の回動と共に、シャフト３８を中心に回動されるようになっている。図４に示すように、用紙ガイド６２が閉じた状態にあるときは、アーム４２の先端がヒートロール３２と加圧ロール３４のニップ部の上方（用紙Ｐの搬送路上）に所定の距離離間した状態で位置している。このため、ヒートロール３２と加圧ロール３４のニップ部を通過した用紙Ｐの先端は、アーム４２のヒートロール３２及び加圧ロール３４側の面（この面を「裏面」とする）に当接する。
【００３７】
アーム４２の裏面に用紙Ｐの先端が当接すると、アーム４２はシャフト３８を中心に回動する。つまり、アーム４２は用紙Ｐによって上方に押し上げられる。これにより、図７（Ｂ）に示すように、アーム４２は搬送路４４から退避して、用紙Ｐの裏面がアーム４２に当接した状態で、上方向に向かって搬送される。このとき用紙Ｐの先端によって、後述する用紙ガイド６２も上方に押し上げられて、用紙Ｐは搬送ロール６５へ送られ、用紙排出部６６（図１参照）へ排出される。
【００３８】
一方、図３及び図９に示すように、アーム４２の基部には、切欠４６が形成されている。この切欠４６には、シャフト３８に巻き掛けられたコイルバネ４８の一端が掛止されている。コイルバネ４８の他端は、ハウジング３０の天板３０Ａに形成された蓋状の係止部５０に掛止されており、コイルバネ４８によってアーム４２は、図の反時計回り（用紙Ｐの搬送方向上流側）に付勢されている。
【００３９】
また、シャフト３８には、矩形状の凸片５４が設けられている。図８に示すように、凸片５４は、アーム４２の先端部がヒートロール３２と加圧ロール３４のニップ部の上方（図４参照）に位置するとき、天板３０Ａに当接する位置に設けられている。
【００４０】
これにより、用紙Ｐの先端によって持ち上げられたアーム４２は、用紙Ｐが通過すると、コイルバネ４８の付勢力によって、用紙Ｐの搬送方向上流側に回動する（図４参照）。このとき、アーム４２は、凸片５４によってシャフト３８の回転が規制されるので、搬送路４４上に位置した姿勢が維持される。
【００４１】
ところで、シャフト３８のコイルバネ４８が巻き掛けられた部分には、コイルバネ４８を覆うようにして、カバー５２が設けられている。カバー５２は、シャフト３８のアーム４２が形成された側と反対側に設けられている。このため、シャフト３８が回転して、アーム４２の裏面が上を向いたとき、コイルバネ４８はカバー５２によって覆われて、表面（ユーザー側）に露出しない構成とされている。
【００４２】
一方、シャフト３８の一方の端部（ハウジング３０の側壁に支持される側）には、半径方向へ板片５６が突設されている。
【００４３】
板片５６の下方にはフォトセンサ５８が配設されている。フォトセンサ５８は、光を出射する投光部５８Ａと、投光部５８Ａから出射された光を受光する受光部５８Ｂで構成されており、投光部５８Ａと受光部５８Ｂで用紙Ｐの端部を挟むようにして設置されている。そして、投光部５８Ａから出射された光を受光部５８Ｂで受光したときにオンの状態となり、それ以外はオフの状態となる。
【００４４】
このような構成により、シャフト３８が回転して板片５６が投光部５８Ａと受光部５８Ｂの間に位置するとき、フォトセンサ５８がオンとなり、シャフト３８が回転されたと検知されるようになっている。
【００４５】
つまり、図７（Ｂ）に示すように、ヒートロール３２と加圧ロール３４のニップ部を通過した用紙Ｐがアーム４２に当接してシャフト３８が時計回りに回転すると、シャフト３８の回転によって板片５６がフォトセンサ５８をオン状態とし、用紙Ｐがアーム４２に当接したと検知される。
【００４６】
また、用紙Ｐの後端がアーム４２から離れると、図７（Ａ）に示すように、コイルバネ４８の付勢力によってシャフト３８が反時計回りに回転し、フォトセンサ５８がオフ状態となり、アーム４２とハウジング３０の間の搬送路４４を用紙Ｐの後端が通過したと検知される。
【００４７】
また、フォトセンサ５８がオン状態になってから所定時間経過してもフォトセンサ５８がオフ状態にならないときは、用紙Ｐが定着装置２８内でジャムしたと判断される。そして、画像形成装置１０（図１参照）の本体の図示しないパネルに、用紙Ｐが定着装置２８内でジャムしたことが表示されるようになっている。
【００４８】
ところで、図２及び図３に示すように、アクチュエーター３６の上方には、用紙ガイド６２が設けられている。用紙ガイド６２は、搬送路４４（図７（Ｂ）参照）を覆うカバー６２Ｂと、カバー６２Ｂの両面から突出するガイド片６２Ａとを備えている。
【００４９】
カバー６２Ｂは、幅方向（用紙搬送方向）の一方の端部がハウジング３０の天板３０Ａの側壁近傍に形成された軸受部６４に回動可能に支持されている。これにより、用紙ガイド６２の裏面（アーム４２に対向する面）に用紙Ｐの先端が当接すると、一方の端部（軸受部６４に支持された部分、以下「回動支点Ｍ」とする）を軸にして回動し、持ち上げられるようになっている。
【００５０】
このような構成により、用紙Ｐは用紙ガイド６２を通過し、搬送ロール６５によって用紙排出部６６（図１参照）に排出される。
【００５１】
なお、搬送ロール６５は正転逆転可能とされており、両面印刷モードのときは、アクチュエーター３６が用紙Ｐの後端を検知すると、搬送ロール６５は逆転し、用紙ガイド６２の上面を用紙Ｐが搬送される。そして、片面に画像が形成された用紙Ｐは、図１の転写装置１８の右側に設けられた搬送部６８へ送り込まれて、表裏反転されて転写装置１８に送り込まれる構成となっている。
【００５２】
一方、図２及び図３に示すように、用紙ガイド６２の略中央部には、矩形状の開口部７０が形成されている。また、用紙ガイド６２の裏面には、開口部７０が形成された位置に、案内部７２が設けられている。案内部７２は、開口部７０の幅方向（用紙Ｐの搬送方向と直交する方向）の両側から立設する立設片７４と、この立設片７４を連結する連結片７６とで、略コ字状とされている。
【００５３】
図４に示すように、用紙ガイド６２を閉じた状態のとき、連結片７６はアクチュエーター３６のアーム４２よりも下側に位置している。そして、用紙ガイド６２を開放するとき、まず、連結片７６は、図５に示すように、アーム４２の裏面の基部近傍に当接する。そして、用紙ガイド６２を回動支点Ｍを中心にさらに回動させると、連結片７６はアーム４２の裏面の曲面に沿って移動しながら、アーム４２をシャフト３８を中心として回動させる。用紙ガイド６２が回動支点Ｍを中心として略１８０度回動すると、連結片７６はアーム４２の裏面の先端部分を支持する。つまり、用紙ガイド６２を一杯に開放しても、アーム４２には連結片７６が当接される構成となっている。これにより、用紙ガイド６２を開放すると、アーム４２も一緒に回動して、ヒートロール３２と加圧ロール３４のニップ部が露出する。
【００５４】
ところで、図３に示すように、用紙ガイド６２の裏面側に突出しているガイド片６２Ａの先端は、用紙ガイド６２を閉じた状態のとき、連結片７６よりも下方に位置している。これにより、図６に示すように、用紙ガイド６２を一杯に開放したとき、アーム４２よりもガイド片６２Ａの先端が上に位置するので、ヒートロール３２と加圧ロール３４のニップ部から、用紙ガイド６２を開放した方向に用紙Ｐを引き抜いたとき、用紙Ｐはガイド片６２Ａの先端に当接するようになっている。つまり、引き抜く用紙Ｐが、アーム４２に接触しない構成とされている。
【００５５】
次に、本発明の実施形態の作用について説明する。
【００５６】
用紙ガイド６２を、回動支点Ｍを中心として上側に向かって回動させると、用紙ガイド６２に一体に設けられた案内部７２の連結片７６が、アクチュエーター３６のアーム４２に当接する。そして、用紙ガイド６２の回動に伴ってアーム４２が連結片７６に案内されて、用紙ガイド６２の回動と共に、アーム４２がシャフト３８を中心に回動し、ヒートロール３２と加圧ロール３４のニップ部の上方から退避する。
【００５７】
つまり、用紙ガイド６２を開放したとき、アーム４２がヒートロール３２と加圧ロール３４のニップ部の上方に残ってしまうことがない。このため、ジャムした用紙Ｐを引き出すための経路がアーム４２によって塞がれないので、引き出そうとする用紙Ｐがアーム４２に当たらない。また、ジャムした用紙Ｐを、用紙ガイド６２を開放した側に引き出しても、アーム４２の先端に略垂直方向から当接することはない。したがって、用紙Ｐをどの方向から引き抜いても、アーム４２が破損する恐れがない。
【００５８】
また、コイルバネ４８によってアーム４２は図４の反時計回りに付勢されており、用紙ガイド６２を開放してアーム４２を上側に回動させたとき、シャフト３８に巻き掛けられたコイルバネ４８が、ユーザー側に露出されないようになっている。これにより、用紙Ｐを引き出そうとしたユーザーが、ヒートロール３２から発生する熱によって加熱されたコイルバネ４８に直接触れてしまうことがない。
【００５９】
さらに、用紙ガイド６２を開放したとき、アーム４２の先端には案内部７２の連結片７６が当接するようになっている。つまり、用紙ガイド６２を開放しても、アーム４２の先端は連結片７６に覆われてユーザー側に露出しない。このため、ユーザーの手がアーム４２の先端に触れることがないので、アーム４２の先端の破損が防止される。
【００６０】
また、用紙ガイド６２の裏面には、案内部７２よりも突出した状態でガイド片６２Ａが突設されているため、ヒートロール３２と加圧ロール３４のニップ部から引き抜かれる用紙Ｐは、ガイド片６２Ａに当接して、直接アーム４２に当接しない。したがって、用紙ガイド６２を開放させた方向に用紙Ｐを引き抜いても、アーム４２が破損する恐れがない。
【００６１】
さらに、用紙ガイド６２が閉じた状態あるとき、シャフト３８に設けられた凸片５４が、ハウジング３０の天板３０Ａに当接するので、用紙Ｐの搬送路に対するアーム４２の角度が正確に規制される。つまり、用紙ガイド６２の開閉によってシャフト３８が回転する度に、アーム４２の位置がずれてしまうことがないので、例えば、アーム４２の位置がヒートロール３２と加圧ロール３４のニップ部側に寄り過ぎて、用紙Ｐの先端が当接してもアーム４２が移動されずに、用紙Ｐのジャムが引き起こされてしまう等の心配がない。
【００６２】
また、案内部７２とアーム４２とは回転中心が異なることから移動軌跡も異なるため、アーム４２の案内部７２が当接する面を曲面とすることで、アーム４２は案内部７２にスムーズに案内されて、用紙ガイド６２の開放と共に回動する。
【００６３】
なお、本実施形態では、アクチュエーター３６のシャフト３８に設けられた凸片５４が、定着装置２８のハウジング３０に設けられたフォトセンサ５８によって検知されることで、アーム４２に用紙Ｐの先端が当接したと検出される構成で説明したが、用紙Ｐの先端がアーム４２に当接したか否かを検出する手段としては、フォトセンサ５８に代えて、光学センサ、磁気センサ、超音波センサ、マイクロスイッチなどを用いることができる。
【図面の簡単な説明】
【００６４】
【図１】本発明の実施形態の画像形成装置の概略構成図である。
【図２】画像形成装置に搭載される定着装置の、用紙ガイドを閉じた状態を示す斜視図である。
【図３】画像形成装置に搭載される定着装置の、用紙ガイドを開放した状態を示す斜視図である。
【図４】定着装置の側面断面図である。
【図５】定着装置の用紙ガイドを閉じた状態を示す側面断面図である。
【図６】定着装置の用紙ガイドを開放した状態を示す側面断面図である。
【図７】定着装置の側面断面図であり、（Ａ）は用紙Ｐがアクチュエーターに当接していない状態を示す図であり、（Ｂ）は用紙Ｐがアクチュエーターに当接した状態を示す図である。
【図８】定着装置に搭載されるアクチュエーターと、装置本体に設けられたセンサを示す斜視図である。
【図９】アクチュエーターを回動させた状態を示す部分斜視図である。
【符号の説明】
【００６５】
１０  画像形成装置（装置本体）
２８  定着装置（定着器）
３６  アクチュエーター（用紙検出手段）
３８  シャフト（用紙検出手段)
４２  アーム（用紙検出手段）
４８  コイルバネ（付勢部材）
５２  カバー
５４  凸片（当接片）
５６  板片（用紙検出手段、検知部）
５８  フォトセンサ（センサ）
６２  用紙ガイド
６６  用紙排出部
７２  案内部
７８  ガイド片
【図１】
0004715619.tif 000002
【図２】
0004715619.tif 000003
【図３】
0004715619.tif 000004
【図４】
0004715619.tif 000005
【図５】
0004715619.tif 000006
【図６】
0004715619.tif 000007
【図７】
0004715619.tif 000008
【図８】
0004715619.tif 000009
【図９】
0004715619.tif 000010